(57)【要約】    【課題】        ユーザの必要性を加味し、ユーザに必要性の高い情報を提供すること。    【解決手段】    本発明は、ユーザの所有物のジャンルと所有物の履歴情報との組を複数所有物管理部１０４のテーブル１１０に格納しておき、コンテンツ処理部１０７がテーブル１１０から所有物のジャンルおよび履歴情報を抽出し、抽出したジャンルおよび履歴情報を加味したコンテンツの選択をし、出力部１０２が選択したコンテンツを出力するようにすることにした。これにより、ユーザの所有物のジャンルおよび履歴情報からユーザの必要性の高い情報を選択し、提供できる。  【選択図】        図１
2005346653.tif 000002
【特許請求の範囲】
【請求項１】
ユーザの所有物に関するキーワードと所有情報の組を格納する所有物管理部と、キーワードが付与されたコンテンツの受信を行う通信部と、前記所有物管理部から前記所有物に関するキーワードおよび前記所有情報を抽出し、抽出した前記所有物に関するキーワードおよび前記所有情報を前記コンテンツのキーワードに加味して前記コンテンツの選択をするコンテンツ処理部と、選択された前記コンテンツを出力する出力部と、を具備したことを特徴とする情報選択装置。
【請求項２】
前記所有情報は購入日時に関する情報であり、前記所有情報に古い前記購入日時が記述されている場合に、前記古い購入日時に対応する前記キーワードが付与された前記コンテンツを選択することを特徴とする請求項１記載の情報選択装置。
【請求項３】
前記所有情報は使用頻度に関する情報であり、前記所有物に関するキーワードが付与された前記コンテンツが複数選択された場合に、選択された前記コンテンツから前記使用頻度の多い前記コンテンツを選択することを特徴とする請求項１記載の情報選択装置。
【請求項４】
前記所有情報は譲渡者に関する情報であり、前記譲渡者に関する情報に多くの譲渡者が記載されている場合に、当該譲渡者に関する情報に対応するキーワードに関するものを扱う販売店の前記コンテンツを選択することを特徴とする請求項１記載の情報選択装置。
【請求項５】
前記コンテンツに付与されたキーワードと、当該キーワードを上位概念語に持つ下位概念語との組を複数格納した辞書部を具備し、
前記所有物管理部に格納された前記所有物に関するキーワードが付与された前記コンテンツが無い場合に前記辞書部を参照し前記所有物に関するキーワードを下位概念語に持つ前記キーワードを抽出し、抽出した前記キーワードが付与された前記コンテンツを選択することを特徴とする請求項１から請求項４のいずれかに記載の情報選択装置。
【請求項６】
前記所有物に張られた前記所有物に関するキーワードおよび所有情報が記憶されたＲＦＩＤタグから前記所有物に関するキーワードおよび所有情報を取得する所有情報取得部を具備したことを特徴とする請求項１から請求項５のいずれかに記載の情報選択装置。
【発明の詳細な説明】
【技術分野】
【０００１】
本発明は、情報の選択を行う情報選択装置に関するものである。
【背景技術】
【０００２】
従来より、ユーザが入力した情報を解析して、関連する情報を提示する技術がある（例えば、特許文献１参照）。従来の技術では、ユーザがコンテンツを購入した際に、購入したコンテンツに関連する情報をその場で自動的に提供できる技術が開示されている。
【０００３】
【特許文献１】特開２００２−３３５２２１号公報（ＣＭ提供装置）
【発明の開示】
【発明が解決しようとする課題】
【０００４】
しかし、従来技術は、ユーザが購入したコンテンツに関連した情報をその場で提供するものであるため、ユーザのコンテンツ購入履歴や使用状況などを考慮していない。言い換えると、購入したコンテンツが本当にユーザにとって必要なものか考慮していない。
【０００５】
例えば、ユーザは、今回たまたまこのコンテンツを購入したが、実際にコンテンツを使用してみたところ、ユーザの好みにあわない場合もある。このような場合は、購入したコンテンツに関連する情報は、ユーザにとって本当に必要な情報とは言えない。
【０００６】
このように、従来技術は、ユーザの必要性を加味した情報提供を行っていないという問題がある。
【０００７】
本発明は、かかる点に鑑みてなされたものであり、ユーザの必要性を加味し、ユーザに必要性の高い情報を提供することを目的とする。
【課題を解決するための手段】
【０００８】
本発明は、ユーザの所有物に関するキーワードと所有情報（所有物に関する情報）との組を格納しておき、ユーザの所有物に関するキーワードと所有情報の組を加味したコンテンツの選択をし、選択したコンテンツを出力するようにした。
【発明の効果】
【０００９】
本発明によれば、ユーザの所有物に関するキーワードと所有情報の組を用いてユーザの必要性の高い情報を選択し、提供できる。
【発明を実施するための最良の形態】
【００１０】
本発明の第１の態様にかかる情報選択装置は、ユーザの所有物に関するキーワードと所有情報の組を格納する所有物管理部と、キーワードが付与されたコンテンツの受信を行う通信部と、前記所有物管理部から前記所有物に関するキーワードおよび前記所有情報を抽出し、抽出した前記所有物に関するキーワードおよび前記所有情報を前記コンテンツのキーワードに加味して前記コンテンツの選択をするコンテンツ処理部と、選択された前記コンテンツを出力する出力部と、を具備した構成を採る。
【００１１】
これにより、ユーザの所有物に関するキーワードおよび所有情報からユーザの必要性の高い情報を把握し、必要性の高い情報を提供することができる。
【００１２】
本発明の第２の態様は、第１の態様にかかる情報選択装置において、前記所有情報は購入日時に関する情報であり、前記所有情報に古い前記購入日時が記述されている場合に、前記古い購入日時に対応する前記キーワードが付与された前記コンテンツを選択する。
【００１３】
これにより、選択したキーワードに対応する新しい機器やコンテンツの購入を勧めることができる。
【００１４】
本発明の第３の態様は、第１の態様にかかる情報選択装置において、前記所有情報は使用頻度に関する情報であり、前記所有物に関するキーワードが付与された前記コンテンツが複数選択された場合に、選択された前記コンテンツから前記使用頻度の多い前記コンテンツを選択する。
【００１５】
これにより、使用頻度が高いものを必要度が高いとして推薦対象とすることができる。
【００１６】
本発明の第４の態様は、第１の態様にかかる情報選択装置において、前記所有情報は譲渡者に関する情報であり、前記譲渡者に関する情報に多くの譲渡者が記載されている場合に、当該譲渡者に関する情報に対応するキーワードに関するものを扱う販売店の前記コンテンツを選択する。
【００１７】
これにより、対応するキーワードに関するものの市場価値が高いと判断し、ユーザに中古市場の情報をユーザへ提供することができる。
【００１８】
本発明の第５の態様は、第１から第４のいずれかの態様にかかる情報選択装置において、前記コンテンツに付与されたキーワードと、当該キーワードを上位概念語に持つ下位概念語との組を複数格納した辞書部を具備し、前記所有物管理部に格納された前記所有物に関するキーワードが付与された前記コンテンツが無い場合に前記辞書部を参照し前記所有物に関するキーワードを下位概念語に持つ前記キーワードを抽出し、抽出した前記キーワードが付与された前記コンテンツを選択する。
【００１９】
これにより、格納されたキーワードと同一のキーワードが付与されたコンテンツがない場合も、格納されたキーワードの上位概念語を抽出し、これをキーワードとして使用できる。この結果、同一のキーワードが付与されたコンテンツがなくても、対応するコンテンツを取得できる。
【００２０】
本発明の第６の態様は、第１から第５のいずれかの態様にかかる情報選択装置において、前記所有物に張られた前記所有物に関するキーワードおよび所有情報が記憶されたＲＦＩＤタグから前記所有物に関するキーワードおよび所有情報を取得する所有情報取得部を具備した。
【００２１】
これにより、キーワードおよび所有情報をユーザ操作の介入なしに自動的に取得することができる。
【００２２】
以下、本発明の実施の形態にかかる情報選択装置ついて、図面を参照しながら説明する。まず、本実施の形態にかかる情報選択装置の構成について、図１を用いて説明する。図１は、本発明の情報選択装置の構成図である。
【００２３】
情報選択装置１００には、ユーザが情報を入力するための手段として、キーボード、マウス、タッチパネルなどの情報を入力する入力部１０１が設けられている。また、情報選択装置１００には、情報提示手段として、モニターやプリンターなど情報を出力する出力部１０２が設けられている。
【００２４】
また、情報選択装置１００には、通信手段として、ＡＤＳＬ、携帯電話、無線ＬＡＮ、ＦＴＴＨ、地上波デジタル放送、衛星放送などの情報の送信や受信を行う通信部１０３が設けられている。通信部１０３は、ＣＭ（コマーシャル）等の放送コンテンツ１０８を受信する。通信部１０３は、所有情報データベース１０９から所有物の所有情報を受信する場合もある。また、所有物の所有情報には、所有物に関するキーワードと、購入履歴、購入日時、購入サイトなどの所有情報が含まれる。そして、通信部１０３は、受信した放送コンテンツ１０８をコンテンツ蓄積部１０５に蓄積し、受信した所有情報を所有物管理部１０４に送る。
【００２５】
また、所有物に関するキーワードとしては、所有物の分類（ジャンル）あるいは品名を示すキーワード、コンテンツの内容を示すジャンル、よく買うブランド名、よく買うお店名、よく買うアーティスト名などがある。
【００２６】
所有情報データベース１０９は、ＰＣなどの端末であっても良いし、ユーザのポータルサイトやカード会社などのサーバであっても良い。ユーザが購入したサイトから、ユーザが購入した物やコンテンツの履歴や、カード会社からユーザの買い物の履歴を入手し、その情報を所有情報データベース１０９に反映させてもよい。
【００２７】
また、放送コンテンツ１０８は、番組情報１１５と、ＣＭ情報１１３と、番組情報１１５とＣＭ情報１１３のレイアウトやＣＭ情報１１３のジャンルなどの情報を含むコンテンツ記述１１４を含む。なお、コンテンツ記述１１４の詳細については、後述する。
【００２８】
また、情報選択装置１００には、ユーザの所有する機器である、ＡＶ機器１１６、冷蔵庫１１７、電子レンジ１１８、およびＰＣ１１９などに関する情報をユーザ操作の介入なしに自動的に取得する所有情報取得部１２１が設けられている。所有情報取得部１２１は、ＡＶ機器１１６、冷蔵庫１１７、電子レンジ１１８、およびＰＣ１１９に張られたＲＦＩＤタグ１２０ａ〜１２０ｄから機器に関する情報（所有情報）を取得し、所有物管理部１０４に送る。ＲＦＩＤタグ１２０ａ〜１２０ｄには、ユーザＩＤと、所有物の所有情報が記憶されている。所有情報取得部１２１は、ＲＦＩＤタグリーダを用いて、ＲＦＩＤタグ１２０ａ〜１２０ｄから、ユーザに対応する所有物の所有情報を読み取る。
【００２９】
また、ＲＦＩＤタグ１２０ａ〜１２０ｄに記憶する所有物の所有情報は、所有物管理部１０４が管理する情報と同一であってもよいし、一部だけであってもよい。例えば、ＲＦＩＤタグ１２０ａ〜１２０ｄに、ユーザＩＤ、ジャンルなどのキーワード、購入日時、購入サイト、使用頻度だけを記入する。
【００３０】
なお、ＲＦＩＤタグ１２０ａ〜１２０ｄでなくても、ＢｌｕｅｔｏｏｔｈやＵＳＢケーブル、または、無線ＬＡＮやネットワーク越しに、所有物の中の記憶媒体から所有情報を取得しても構わない。  
【００３１】
所有物管理部１０４は、通信部１０３および所有情報取得部１２１から取得した所有情報をテーブル１１０に蓄積する。また、所有物管理部１０４は、入力部１０１から所有情報を入力しても良い。また、コンテンツ蓄積部１０５からコンテンツの使用頻度などの所有情報と、ジャンルなどのキーワードを取得してもよい。つまり、情報選択装置１００に蓄積されたコンテンツのキーワードおよび所有情報も取得できる。なお、テーブル１１０の詳細は後述する。
【００３２】
また、情報選択装置１００には、所有物管理部１０４から所有情報を取得し、取得した所有情報に対応するＣＭ情報１１３の選択処理をするコンテンツ処理部１０７が設けられている。また、所有情報には、所有物のジャンルなどのキーワードおよび使用頻度や購入履歴、譲渡者、購入サイトなどの情報が含まれる。
【００３３】
また、情報選択装置１００には、コンテンツ記述１１４のジャンルなどのキーワードに用いられている単語と、この単語に対応する下位概念の単語との組を、複数格納した変換辞書データベース部が設けられている。
【００３４】
これらの構成により、情報選択装置１００は、ユーザの所有物の属性情報に対応したＣＭ情報１１３を提供することができる。
【００３５】
なお、情報選択装置１００が予め所有情報を管理し、コンテンツもコンテンツ蓄積部１０５で保持するのではなく、放送網、通信網や蓄積媒体を介して、所有情報や放送コンテンツを取得してもよい。
【００３６】
次に、所有物管理部１０４が具備するテーブル１１０の構成について、図２を用いて説明する。図２は、本実施の形態にかかるテーブルの構成図である。
【００３７】
テーブル１１０には、ユーザの所有する所有物２０１と、所有物２０１の属性である、ジャンルなどのキーワード２０２と、所有情報である、購入日時２０３、使用回数（使用頻度）２０４、譲渡者２０５、および購入サイト２０６と、の組が複数格納されている。
【００３８】
所有物２０１としては、コンテンツや機器を想定している。図２の例では、ユーザが保有するコンテンツのキーワード２０２が音楽のコンテンツＡがあり、所有情報（履歴情報）として、購入日時２０３、再生（使用）回数２０４、譲渡者２０５、購入サイト２０６が示されている。購入サイト２０６として、ＡＢＣストアーから、購入日時２０３は、０３／０１／０１に購入を行っていることを示している。譲渡者２０５は、譲渡された人を示す項目であり、コンテンツＡは、ユーザが、自ら購入したものであり、機器ＢはＡさんから譲渡されたものである。再生回数２０４は、コンテンツＡの場合は、コンテンツを視聴した回数であり、機器Ｂは機器を操作した回数である。言い換えると、再生回数２０４は、使用頻度と言える。
【００３９】
これらの情報から、ユーザが必要とする情報を推定することが可能となる。例えば、購入日時２０３が古い場合（たとえば、１０年以上経過）、新しい機器の購入を勧める。また、再生回数２０４が高いものも、同様に推薦対象とする。譲渡者２０５の項目に多くの譲渡者が記載されている場合、リサイクルのショップを推薦するなど、中古市場の情報をユーザへ提供する。
【００４０】
次に、コンテンツ記述１１４について、図３を用いて説明する。
【００４１】
コンテンツ記述１１４には、放送コンテンツ１０８の番組情報１１５やＣＭ情報１１３をレイアウトするためのレイアウト情報（画面サイズや画面上での位置など）や放送コンテンツ１０８の所在を示すＵＲＬ、チャンネル情報などが記述されている。図３の例では、レイアウト情報や放送コンテンツ１０８の所在を示すＵＲＬ，チャンネル情報などを、＜放送コンテンツ開始＞と＜放送コンテンツ終了＞のタグの間３０１に記述する（「放送コンテンツ」と記された箇所）。
【００４２】
また、コンテンツ記述１１４には、ＣＭ情報３０２が記述されている。ＣＭ情報３０２は、＜ジャンル＞と記されたタグの間に記述されている。ＣＭ情報３０２には、利用者が必要となると想定されるＣＭ情報のキーワードとしてジャンルが記述されている。図３の例では、ジャンルとして、＜金融＞、＜日用雑貨１＞、＜日用雑貨２＞、＜家電１＞、＜家電２＞が記述されている。
【００４３】
また、ジャンルは、階層化されて記述されている。図３の例では、＜日用雑貨１＞、＜日用雑貨２＞の下位（詳細な）ジャンルとして。＜取り扱い品＞が記されている。
【００４４】
また、お店独自の情報として、特売品情報を記述しても良い。図３の例では、お店独自の情報として＜特売品名＞が記述されている。
【００４５】
また、これらのジャンルのタグに対応して、対応するお店のＣＭ情報として、お店の紹介が記述されている。
【００４６】
お店の紹介には、ＣＭコンテンツの所在を示すＵＲＬやコンテンツ蓄積部１０５の中でコンテンツを特定するためのＩＤやファイル名などの情報、レイアウト情報（画面サイズや画面上での位置など）などが記述されている。
【００４７】
次に、本実施の形態にかかる情報選択装置１００の処理について図４のフローチャートを用いて説明する。
【００４８】
予め、情報選択装置１００は、ユーザの所有物の所有情報を、所有情報取得部１２１、通信部１０３、および入力部１０１のどれかから取得し、テーブル１１０に格納している。所有情報取得部１２１は、ＲＦＩＤタグリーダを用いて周辺にあるＡＶ機器１１６、冷蔵庫１１７、電子レンジ１１８、ＰＣ１１９などの情報をＲＦＩＤタグ１２０ａ〜１２０ｄから取得する。また、通信部１０３は、携帯電話の携帯通信網などのネットワークを介して所有情報データベース１０９からユーザが所有するコンテンツに関する所有情報などの情報を取得する。
【００４９】
まず、情報選択装置１００は、通信部１０３において、番組情報１１５、ＣＭ情報１１３、およびコンテンツ記述１１４の放送コンテンツ１０８を受信し、コンテンツ蓄積部１０５に蓄積する（ＳＴ４００）。
【００５０】
次に、情報選択装置１００のコンテンツ処理部１０７は、テーブル１１０を参照し、ユーザの所有物２０１、および所有物２０１の属性情報を抽出する（ＳＴ４０２）。抽出する属性情報には、キーワード２０２と、所有情報（履歴情報）である購入日時２０３、再生回数２０４、譲渡者２０５、および購入サイト２０６が含まれる。
【００５１】
次に、コンテンツ処理部１０７は、コンテンツ蓄積部１０５に蓄積されたコンテンツ記述１１４のＣＭ情報３０２を参照し、ステップ４０２で取得したキーワード２０２と同一のキーワード（ジャンル）を持つＣＭ情報３０２があるか判断する（ＳＴ４０３）。
【００５２】
そして、ＳＴ４０３において同一のキーワード（ジャンル）が対応つけられたＣＭ情報３０２がある場合は、ＳＴ４０５の処理に移行する。
【００５３】
次に、ＳＴ４０５において、コンテンツ処理部１０７は、決定した所有物のキーワード２０２および所有情報である購入日時２０３、使用回数２０４、譲渡者２０５、購入サイト２０６を用いてＣＭ情報の選択を行う（ＳＴ４０５）。
【００５４】
例えば、コンテンツ処理部１０７は、テーブル１１０に格納された購入日時２０３が古い場合（たとえば、１０年以上経過）、新しい機器の購入を勧めるために、決定したキーワードに対応する新しい機器に関するＣＭ情報を選択する。
【００５５】
一方、同一のキーワード（ジャンル）が対応つけられたＣＭ情報３０２がない場合は、コンテンツ処理部１０７は、変換辞書データベース部１０６を参照し、ＳＴ４０２で抽出したキーワード（ジャンル）の上位概念語を抽出し、これをキーワードとして決定し、決定したキーワードに対応付けられたＣＭ情報３０２を抽出し、ＳＴ４０５の処理に移行する（ＳＴ４０４）。
【００５６】
例えば、図２の例では、キーワード２０２として「冷蔵庫」が記述されているが、コンテンツ記述１１４のＣＭ情報３０２には「冷蔵庫」というキーワードがない。よって、コンテンツ処理部１０７は、変換辞書データベース部１０６を参照し、「冷蔵庫」の上位概念語である「家電」をキーワードとして抽出する。
【００５７】
このように、テーブル１１０に格納されたキーワード２０２と同一のキーワード（ジャンル）が付与されたＣＭ情報がない場合も、シソーラスの機能を持つ変換辞書データベース部１０６を使用することにより、キーワード２０２の上位概念語を抽出し、これをキーワードとして使用できる。この結果、取得したキーワード２０２と同一のＣＭ情報がなくても、取得したキーワード２０２に対応するＣＭ情報を取得できる。
【００５８】
また、コンテンツ処理部１０７は、キーワード２０２により複数のＣＭ情報が選択された場合、複数のＣＭ情報から使用回数２０４が高いもの使用頻度が高いとして必要度が高いと判断し推薦対象とする。例えば、テーブル１１０にキーワード２０２として複数の音楽があった場合、コンテンツ処理部１０７は、使用回数２０４が多いアーティストの音楽に関するＣＭ情報を選択する。また、テーブル１１０のキーワードとして家電が複数あった場合、コンテンツ処理部１０７は、使用回数２０４が多い家電に関するＣＭ情報を選択する。
【００５９】
また、コンテンツ処理部１０７は、譲渡者２０５の項目に多くの譲渡者が記載されている場合、対応するキーワード２０２（音楽、冷蔵庫など）の市場価値が高いと判断し、対応するキーワードに関するものを扱うリサイクルのショップ（販売店）のＣＭを選択することにより、中古市場の情報をユーザへ提供する。
【００６０】
このように、単純にユーザの所有物に関するコンテンツを提供するのでなく、ユーザの所有物のキーワードおよび所有情報を用いて、ユーザの本当に必要なＣＭ情報を選択し、提供することができる。これにより、ユーザは、本当に必要な情報を取得でき、今後の活動に生かすことができる。
【００６１】
次に、コンテンツ処理部１０７は、ＳＴ４０５において選択したＣＭ情報１１３と番組情報１１５を、図５（ａ）に示すように同一画面に合成して表示するために、選択したＣＭ情報１１３と、番組情報１１５をコンテンツ蓄積部１０５から抽出し、抽出した番組情報１１５とＣＭ情報１１３を合成した情報を生成し、出力部１０２に出力し、出力部１０２がこれを表示する（ＳＴ４０６）。
【００６２】
なお、図５（ｂ）に示すように、放送番組中の特定のＣＭの映像シーンを、ステップ５０６において選択したキーワードに対応するＣＭの映像シーンに差し替える形態であっても良い。
【００６３】
以上説明したように、本実施の形態によれば、ユーザの所有情報（所有物に関する情報）からユーザの必要性の高い情報を把握し、必要性の高い情報を提供することができる。
【００６４】
なお、本実施の形態にかかる情報選択装置１００は、携帯電話や放送端末などに適用できる。情報選択装置１００を携帯電話に適用した場合、充電器にＲＦＩＤタグリーダの機能を持たせ、携帯電話を充電器により充電している際に、自動的に周辺の機器の情報を取得するようにしても良い。
【産業上の利用可能性】
【００６５】
本発明にかかる情報選択装置は、ユーザの所有情報（所有物に関する情報）からユーザの必要性の高い情報を把握し、提供することができ、放送受信端末などの実現に有用である。また、通信端末等への用途にも適用できる。また、ユーザに提供する情報としてはＣＭだけではなく、ユーザの活動状況を反映させた音楽や地域情報などであってもよい。
【図面の簡単な説明】
【００６６】
【図１】本発明の実施の形態にかかる情報選択装置の構成図
【図２】本実施の形態にかかるテーブルの構成図
【図３】本実施の形態にかかるコンテンツ記述を説明する図
【図４】本実施の形態にかかる情報選択装置の処理のフローチャート
【図５】ＣＭの挿入のためのコンテンツの記述方法について説明する図
【符号の説明】
【００６７】
１００  情報選択装置
１０３  通信部
１０４  所有物管理部
１０６  変換辞書データベース部
１０７  コンテンツ処理部
１０８  放送コンテンツ
１１０  テーブル
１１４  コンテンツ記述
１２１  所有情報取得部
【図１】
2005346653.tif 000003
【図２】
2005346653.tif 000004
【図３】
2005346653.tif 000005
【図４】
2005346653.tif 000006
【図５】
2005346653.tif 000007